Podtech/llm-jp-corpus-v4-ja_patent huggingface dataset:
(57)【要約】【課題】ベルト部を身頃の上部の内側に巻き込んで丈を短くするような行為を抑制して規定どおりの仕様で着用させることが可能となる女学生用制服スカートを提供する。【解決手段】スカートの後側におけるベルト部２の中央部内側に、ベルト部２からその下方に突出する一定の張りをもつ張り部材３を取り付け、この張り部材３によりベルト部２の身頃１への巻き込みを抑える。【選択図】    図１
0003106177.tif 000002
【実用新案登録請求の範囲】
【請求項１】
スカートのベルト部の一定区間の部分に、ベルト部からその下方に突出してスカートの身頃に対するベルト部の巻き込みを防止する張り部材を取り付けてなることを特徴とする女学生用制服スカート。
【請求項２】
張り部材は、スカートの後側におけるベルト部の中央部内側に取り付けられていることを特徴とする請求項１に記載の女学生用制服スカート。
【考案の詳細な説明】
【技術分野】
【０００１】
この考案は、学校の制服として女学生が着用する女学生用制服スカートに関する。
【背景技術】
【０００２】
学校の制服として着用される女学生用制服スカートは、その各学校ごとに所定のデザインに制定されている。そして、その所定のデザインの制服を各女学生が着用して通学することとなっている。
【考案の開示】
【考案が解決しようとする課題】
【０００３】
ところが最近、一部の女学生の間では、スカートのベルト部を身頃の上部の内側に巻き込み、その巻き込みで裾を上げ、スカートの丈を規定より短くして着用する傾向が見受けられるようになってきている。
【０００４】
学校としては、スカートの丈を規定の幅に定め、制服としての統一性を図るようにしている。しかし、ベルト部を身頃の上部の内側に巻き込み、スカートの丈を規定より短くなるように改変して着用すると、制服としての統一性が失われるばかりでなく、風紀の乱れにもつながりかねず、このため学校としてはそのようなスカートの改変を慎むように指導しているが、ベルト部を身頃の上部の内側に巻き込むという手軽な手段で丈を短くすることができるため、実際にはなかなか指導どおりには行かず、苦慮しているのが実情である。
【０００５】
この考案はこのような点に着目してなされたもので、その目的とするところは、ベルト部を身頃の上部の内側に巻き込んで丈を短くするような改変行為を抑制して規定どおりの仕様で着用させることができる女学生用制服スカートを提供することにある。
【課題を解決するための手段】
【０００６】
この考案の制服スカートは、ベルト部の一定区間の部分に、ベルト部からその下方に突出する張り部材を取り付けてなることを特徴としている。張り部材は、例えばスカートの後側におけるベルト部の中央部内側に取り付ける。
【考案の効果】
【０００７】
このような制服スカートによれば、ベルト部を身頃の上部の内側に巻き込もうとしたときに、一定の張りをもつ張り部材によりその巻き込みが抑えられ、したがってその巻き込みでスカートの丈を短くしようとしてもその行為が困難となる。
【０００８】
このため、ベルト部の巻き込みでスカートの丈を短くするような行為を抑制して通常の正規の仕様のままの適正な状態でスカートを着用させることが可能となる。
【０００９】
また、通常の着用時には、ベルト部の後側中央部に一定の張りをもつ張り部材が縫付けられていることから、この張り部材が着用者の腰裏に密着し、このためスカートのずれ動きを防止することができ、また張り部材の張りにより姿勢もよくなり、さらにフィット感も増す利点がある。
【考案を実施するための最良の形態】
【００１０】
以下、この考案の実施の形態について図面を参照して説明する。
【００１１】
この考案のスカートは、 ひだ付きの身頃１と、この身頃１の上部に縫付けられたベルト部２とからなる。そしてスカートの後側におけるベルト部２の中央部内側に張り部材３が取り付けられている。
【００１２】
張り部材３は、例えば一定の張りをもつ人工皮革を芯材４とし、この芯材４を抗菌処理を施した布地５で覆ってなり、例えば横幅が１５ｃｍ、縦幅が１０ｃｍ程度のほぼ逆台形状に形成されている。そしてこの張り部材３は、ベルト部２からその下方に７〜８ｃｍ程度突出するようにベルト部２の布地の内側に縫付けられている。すなわちこの張り部材３は、ベルト部２と身頃１との間に跨るようにベルト部２の布地の内側に挟み込んで取り付けられている。
【００１３】
このようなスカートによれば、ベルト部２を身頃１の上部の内側に巻き込もうとしたときに、一定の張りをもつ張り部材３によりその巻き込みが抑えられ、したがってその巻き込みでスカートの丈を短くしようとしてもその行為が困難となる。
【００１４】
仮に、巻き込んだとしても張り部材３の全体に身頃１が巻き付くことになり、スカートの丈が極端に短くなり、また身体へのフィット感が極端に悪くなり、実際の着用にそぐわなくなる。
【００１５】
このようなことから、ベルト部２の巻き込みでスカートの丈を短くするような行為を防止することが可能となり、これにより通常の正規の仕様のままスカートを着用させることができるようになる。
【００１６】
通常の着用時には、ベルト部２の後側中央部に一定の張りをもつ張り部材３が縫付けられていることから、この張り部材３が着用者の腰裏に密着し、このためスカートのずれ動きを防止することができ、また張り部材３の張りにより姿勢もよくなり、さらにフィット感も増す利点がある。
【図面の簡単な説明】
【００１７】
【図１】この考案の一実施形態に係る女学生用制服スカートの全体の正面図。
【図２】その制服スカートの要部を拡大して示すスカートの内側の正面図。
【符号の説明】
【００１８】
１…身頃
２…ベルト部
３…張り部材
４…芯材
５…布地
【図１】
0003106177.tif 000003
【図２】
0003106177.tif 000004
(57)【要約】【目的】従来巻き紐を使う時は、市販の巻き紐をそのまま直に使っているが、引っ張ると動転したり、伸びすぎたり、絡んだりしてその為に紐先を探したり、鋏の所在に気を使ったりする事等よくある。これ等の欠点を除いて、使い易くするのが目的である。【構成】巻き紐（３）を入れる箱（１）を作る。箱（１）の落とし蓋（２）を開けて、巻き紐（３）の紐先を箱（１）の穴に通してから、巻き紐（３）を箱（１）に入れて、落とし蓋（２）を閉める。紐先は箱（１）の外にあって使える状態になる。【選択図】        図１
0003106198.tif 000002
【実用新案登録請求の範囲】
【請求項１】
箱の一片に穴を開けて、箱の中に丸巻き紐を納めて、紐先を穴から通して引出し使い易くした構造の紐入れの箱である。
【考案の詳細な説明】
【考案の詳細な説明】
【産業上の利用分野】
【０００１】この考案は、箱の仕組みを利用して、巻き紐の固体の動きを封じて、紐のみが絡まらずに穴を通って出易くしした、紐を入れる箱に関するものである
【背景技術】
【０００２】従来の巻き紐を使う方法は、巻き紐をそのまま置いて使うので安定性に欠け、梱包する時に動転し易くその為伸びすぎたり、絡まったりして紐先を探す場合が多々あるし又、巻き戻しが容易ではなく無駄もでる。加えて鋏の所在が気になるので要らぬ神経を使う事にもなる。
【考案が解決しようとする課題】
【０００３】それには、巻き紐をそのまま直に置いて使わない方法を考えるのが課題である。
【課題を解決する為の手段】
【０００４】その課題を解決する為の手段は、巻き紐を直に置いて使う考えから離れて、巻き紐の動きを封じる手立てを考えた。その結果、箱を作って中に巻き紐を入れて動きを止め、箱の天井部の中央あたりに穴を開けて紐を通せば簡単に引出せるように考えた。伸ばしすぎて戻せずに切って残った紐は、備付の丸棒に巻きとってから、棒を箱に入れて使えば再利用もできる。又、箱の回りを活用して付属品を付ければ、必需品の鋏や手提げ等の取付けができる。この箱の大きさは、市販の丸巻き紐の入る大きさで、高さは２，３ｃｍ程度の余裕があったほうが円滑に出易いように思える。尚、試作品は木製なので、四角形ですが、プラスチックのような樹脂材なら他の形も考えられる。
【作用】
【０００５】本考案は、箱の中に巻き紐を入れる事で巻き紐の動転を封じて、その箱に穴を開けて紐を通す構造を考えた結果、紐は引き手を止めると即座にとまり、出すぎず、絡まらず、従って紐先を探すことなく手早く作業が出来る効果がうまれた。
【実施例】
【０００６】以下本案の実施例について説明する。
この試作品の主たる材料は、周囲はベニア材、内側の角を三角棒で貼り合わせ、落ち蓋差し溝用にジョイナーコを使ってある。ベニアの厚さは３ｍｍ、三角棒は７．７、１０ｍｍである。これ等は共通なので説明は省略する。
▲１▼左側は（外貼り）で縦１５ｃｍ・奥行き１０．５ｃｍ（手前にジョイナーコ）
▲２▼右側は（外貼り）で縦１５ｃｍ・奥行き１０．５ｃｍ（手前にジョイナーコ）
▲３▼上側（天）は（内貼り）で奥行き１０．５ｃｍ・横１３．５ｃｍ（中央に紐穴を開ける）（穴の直径は７ｍｍ程度）
▲４▼下側（底）は（内貼り）で奥行き１１ｃｍ・横１３．５ｃｍ
▲５▼後側（背）は（外貼り）で縦１５ｃｍ・横１４．２ｃｍ
▲６▼落とし蓋は（底板の上から）縦１４．８ｃｍ・横１３．５ｃｍ（▲１▼▲２▼の手前が入口）
以上の▲１▼〜▲４▼を三角棒で順次貼り合わせてゆく。又、▲１▼と▲２▼の手前側にジョイナーコを貼る。最後に▲５▼を貼って本体の箱が出来上がる。
この箱に、鋏入れや手提げ等の付属品を取付ければいい。半端紐を巻き取る棒は、１６ｃｍ×７ｍｍ丸棒で箱の中に入れておくことも出来る。
尚、試作品は木製ですが、型に入れて作れるプラスチックのような材料を使えれば最適である。
【考案の効果】
【０００７】巻き紐の先を箱の天井に開けた穴に差し込んで外に引き出してから、巻き紐を中に入れて使います。引出した手を止めれば、紐は即座にとまるので、だらだら出過ぎることも無く、絡まらず、紐の先を探す事もなく、箱に鋏も付けられるので便利です。加えて半端になった紐は、巻取り棒に巻き戻して使えます。箱なので安定性があって、持ち運びも楽にできるので単純な箱でも効果は大きい。
【図面の簡単な説明】
【図１】  箱の正面右上斜視図である。
【図２】  箱の正面図である。
【図３】  箱の側面図である。
【図４】  箱の背面図
【符号の説明】
１    箱
２    落とし蓋
３    巻き紐
４    鋏入れ
５    手提げ
６    取っ手
【図１】
0003106198.tif 000003
【図２】
0003106198.tif 000004
【図３】
0003106198.tif 000005
【図４】
0003106198.tif 000006
(57)【要約】      （修正有）【課題】本考案は船舶の出入り口に設置するコーミングの機能を満足させつつバリアフリー化を実現するものである。【解決手段】本考案は出入り口扉１付近の甲板に凹面部を設置し、外部から流入しようとする水をその中に誘導して排出することで内部への浸入を防ぎ、同時にコーミングの高さ５を甲板面と同一にすることによって出入りの際に障害となる床面の段差を解消する。【選択図】図１
0003106195.tif 000002
【実用新案登録請求の範囲】
【請求項１】
船舶の出入り口曝露側床面に凹部を設け、扉よりの室内への水の浸入防止とバリアフリー性を同時に満たすことを特長とする出入り口構造。
【考案の詳細な説明】
【技術分野】
【０００１】    本考案は、船舶出入り口の防水性とバリアフリー性を同時に満たす機構に関するものである。
【背景技術】
【０００２】    船舶では船内への水の流入を防止するため出入り口にコーミングを設けるが、出入りの際はそれを乗り超えることが要求される。従って従来はバリアフリー性を満たすためにスロープなどを設置していた。
【考案の開示】
【考案が解決しようとする課題】
【０００３】    スロープを使って出入りする場合は上り下りしなければならないために高齢者や車椅子の利用者、介助者などの負担が大きい。またスロープの設置は広いスペースを必要とし、船舶の限られた室内空間の利用効率を低下させることとなる。
【課題を解決するための手段】
【０００４】    出入り口の床面に凹部を設け、その上を蓋板で覆う。蓋板は室内外の床面と同一の高さになるように設定し段差を作らない。蓋板の一部又は全部をグレーチングとし、外部からの水を蓋板の下へと誘導する。凹部内に排水機構を設置することにより出入り口から内部への水の侵入を防ぐ。同時に凹部底面を甲板とすることにより規定で定められた甲板からのコーミング高さの要求値を満足させる。
【考案の効果】
【０００５】    出入り口周辺の構造を改め凹部を設置して防水性を確保することで、規定により求められるコーミング性能を満足し、かつ段差を解消してバリアフリー性能を利用者への負担がない形で確保することができる。
【考案を実施するための最良の形態】
【０００６】    コーミングを設置しようとする出入り口の室外側甲板に、規定されているコーミングの高さと等しい深さの凹面を設ける。この凹面の幅は当該出入り口の開口部の幅を超える寸法が必要である。この凹面部には周囲あるいは全部がグレーチングとなった蓋板を被せる。蓋板は設置時の状態において、その上面が周囲の甲板と同一平面になるように設定する。室外からの水は蓋板にあるグレーチングを通り凹部底面に流れ込む。凹部底面には排水機構を設定し、流入した水を外部に排出する。これにより室内への水の浸入は防がれる。また凹部底面は周囲の甲板の延長面上にあり、この凹部底面を甲板とみなすことによって甲板面より出入り口開口下端までのコーミングの規定高さ要件を満足させる。
【実施例】
【０００７】    基本的な構成を図１に示す。【０００８】    図１において外部からの水は２のグレーチング部を通り４の凹部底面へと流れる。蓋板グレーチングの幅は１の扉部よりも広く設定されており扉口に達する前に水はグレーチングに流れるので、水を扉開口より内部に流入させることなく蓋板下部に流すことが可能である。扉部に要求されるコーミングについては４の凹面底部を甲板面とみなすことにより、甲板からの高さ規定を満足させる。凹面部を蓋板で覆い周囲との段差を無くし、その上を通路として使うことでバリアフリー化を実現する。
【図面の簡単な説明】
【０００９】
【図１】本考案の実施例の断面図を示す。
【図２】本考案の実施例を示す俯瞰図である。
【符号の説明】
【００１０】  １    出入り口扉
２    蓋板グレーチング
３    一般甲板面
４    凹部底面
５    コーミング高さ
６    排水機構
【図１】
0003106195.tif 000003
【図２】
0003106195.tif 000004
(57)【要約】【課題】  従来の小型焼却炉は、焼却物の投入量が多すぎたり、発熱量の高い焼却物を燃やした場合、燃焼用空気が不足して、黒煙が発生する恐れがあった。また、長時間焼却を続けると燃えが悪くなり燃え残りが多くなった。【解決手段】  煙突９下部に送風機８を装備し、直方体の外形の内側に不定形耐火材１で円筒形の燃焼室２を鋳込成形し、四隅には不定形耐火材１を充填せず燃焼用空気の通り道となる空気層１１を燃焼室２の側壁に設けられた、たて方向に上部から底部へ渉る多数の空気口６から、燃焼用空気を必要充分燃焼室２へ供給できる構造とした。【効果】  燃焼用空気が燃焼室２へ必要充分に供給可能となり、黒煙の発生が抑えられ、円筒形の燃焼室２と斜めに吹き出す燃焼用空気により、燃焼効率が高まり、燃え残りも少なくなった。また、大幅なコストダウンも実現した。【選択図】  図６
0003106199.tif 000002
【実用新案登録請求の範囲】
【請求項１】
鋼鈑製で直方体の外板１０の内側に不定形耐火材１で円筒形の燃焼室２を鋳込成形し、外板１０と燃焼室２との間の四隅に空気層１１を設け、燃焼用空気の通り道とし、燃焼室２の側壁の三隅にたて方向に上部から底部に渡り、斜め方向に設けられた数個の空気口６から燃焼用空気を吹き込む構造を有した廃棄物焼却炉。
【請求項２】
請求項１記載の焼却炉に、燃焼室２側面に開口部を設け、バーナー７を取り付けた焼却炉。
【請求項３】
請求項１記載の焼却炉に、燃焼用空気をさらに多く供給できるように、送風機８から燃焼室２へ直接エアパイプ１３を取り付けた焼却炉。
【考案の詳細な説明】
【考案の詳細な説明】
【考案が解決しようとする課題】
【０００１】  従来の小型焼却炉は、火格子を燃焼室の中ほどに設置し、灰出口に設けられた空気口から燃焼用空気を取り入れる構造となっていたが、焼却炉の投入量が多すぎたり、発熱量の高い焼却物を燃やした場合、燃焼用空気が不足して黒煙が発生する恐れがあった。
また、長時間焼却を続けると、焼却灰が、火格子の下の灰溜室に溜り、灰出口の空気口が塞がれ燃焼用空気の供給が妨げられてしまい、燃焼が悪くなり黒煙が発生し易く燃え残りが多くなってしまった。
ところが、現在使用されているほとんどの小型焼却炉は、燃焼用空気を強制的に補充するための装置（送風機）が装備されていないのが現状である。
【課題を解決するための手段】
【０００２】  本考案は、煙突９下部に送風機８を装備し、送風機８の吹出口１２を煙突上部に向け、送風の力を燃焼室２から煙突９の先端方向へ吹出し、燃焼室２を負圧状態とし、燃焼室２の側壁に設けられた空気口６から、燃焼室２へ火格子を使わず必要充分な空気を供給できる構造となっている。
燃焼室２は、鋼鈑製で直方体の外板１０の内側に不定形耐火材１で円筒形に鋳込成形されており、角型の外板１０と燃焼室２との間の四隅は、不定形耐火材１を充填せず、空間を設け、空気層１１となっており、底部から外気を供給できる燃焼用空気の通り道となっている。
燃焼室２の三隅に設けられた空気口６は、燃焼室２内へ斜め方向に向いており、また、燃焼室２のたて方向に上部から底部に渉って多数設けられている。
【考案の効果】
【０００３】  燃焼用空気が燃焼室２へ必要充分に供給可能となり、黒煙の発生が抑えられた。また、円筒形の燃焼室２と斜めに吹出す燃焼用空気により、旋回燃焼を起こし燃焼効率を高めた。さらに、燃焼室２の側壁のたて方向に上部から底部まで、設けられた数個の空気口６は焼却灰が溜まっても燃焼効率を落さず燃え残りを少なくした。
また、空気層１１に充填されていた不定形耐火材１の使用量が削減でき、鋼製の外板１０は、角型の構造のため溶接から曲げ加工へ変更することができ、大幅なコストダウンが実現した。
【図面の簡単な説明】
【０００４】
【図１】は、本考案を採用した焼却炉ＭＤモデルの正面図である。
【図２】は、本考案を採用した焼却炉ＭＤモデルの側面図である。
【図３】は、本考案を採用した焼却炉ＭＤモデルの平面図である。
【図４】は、本考案を採用した焼却炉ＭＤモデルの正面断面図である。
【図５】は、本考案を採用した焼却炉ＭＤモデルの側面断面図である。
【図６】は、本考案を採用した焼却炉ＭＤモデルの平面断面図である。
【図７】は、本考案を採用し、請求項２を追加した焼却炉ＭＤＢモデルの正面図である。
【図８】は、本考案を採用し、請求項３を追加した焼却炉ＭＤＰモデルの側面図である。
【符号の説明】
１  不定形耐火材
２  燃焼室
３  投入口
４  外気遮断定量投入装置
５  灰出口
６  空気口
７  バーナー（助燃装置）
８  送風機
９  煙突
１０  外板
１１  空気層
１２  送風機吹出口
１３  エアパイプ
【図１】
0003106199.tif 000003
【図２】
0003106199.tif 000004
【図３】
0003106199.tif 000005
【図４】
0003106199.tif 000006
【図５】
0003106199.tif 000007
【図６】
0003106199.tif 000008
【図７】
0003106199.tif 000009
【図８】
0003106199.tif 000010
(57)【要約】【課題】太陽光線又は対交車輌の光をさえぎることができる装置である。【解決手段】テープ上下左右の調整で太陽光線又は対交車輌の光線に合せて影を作り直射光線をさえぎり目にやさしく運転が可能である。【選択図】図４のイラスト
0003106200.tif 000002
【実用新案登録請求の範囲】
【請求項１】
自動車運転中において朝日又は夕日に対いして直射日光と対交車輌のヘットライトの光をさえぎる支持具装置をととねえるテープを左右上下移動しテープで影を作る支持具装置である
【考案の詳細な説明】
【考案の詳細な説明】
【考案が解決しようとする課題】
【０００１】請求項１において朝日・夕日又たは夜間対交車輌のヘットライトの光を受けてまぶしさを目に受けて図４のイラスによりまぶしさを従来はサングラスにかわるテープ影を作くる特徴を持つ装置である。
【課題を解決するための手段】
【０００２】従来の車輌の庇形の日除においては庇日除の下の方から照りつける太陽の光線を図４は従来の日除けを示しているにおいて庇日除の境えより下の部々にテープの影を作くるものである。
【考案の効果】
【０００３】車輌走行中に朝早く出勤時と夕方の西日太陽の光線での眩しさお和らげる装置で特に信号器の近かくに合ふ時は信号器が見えにくい時に見えやすくなる又は夜間走行時に対交車のヘットライトを遮る装置である。
【図面の簡単な説明】
【図１】フロント正面の斜視図である。
【図２】装置の平面図である。
【図３】Ａ・視の断面図である。
【図４】全体のイラスト
【符号の説明】
１  本装置図
２  テープ
３  装置ガイド枠
４  糸ワイヤ
５  モートル
６  滑車
７  調整滑車
８  庇日除
９  バックミラ
【図１】
0003106200.tif 000003
【図２】
0003106200.tif 000004
【図３】
0003106200.tif 000005
【図４】
0003106200.tif 000006
【手続補正書】
【提出日】平成15年10月17日(2003.10.17)
【手続補正１】
【補正対象書類名】実用新案登録請求の範囲
【補正対象項目名】全文
【補正方法】変更
【補正の内容】
【実用新案登録請求の範囲】
【請求項１】
自動車運転中において朝日又は夕日に対いして直射日光と対交車輌のヘットライトの光をさえぎる支持具の装置である。
車輌本体のフロントガラス枠の上下に図２−▲３▼ガイドレールを取付ガイドレール内部に図２−▲５▼１２Ｖ滑車付モーター▲５▼の位置に取付け反対側に図２−▲６▼に滑車を取付け内部に糸ワイヤを張りモーターの回転でワイヤを左右の働きを行ひ左右移動するワイヤに図２−▲７▼上部に上下の働き用の▲７▼の滑車付モーターを取付け反対側の図２−▲７▼下部に上下用のワイヤを張るフリー滑車を取付け上下の働きを行ふワイヤに図２−▲４▼に図２−▲２▼のテープを取付け４点スイッチを各モーターにセットし４点スイッチを運転席上の安全な場所にセットし各モーター・ワイヤ・テープとの間いだをリミットスイッチで調整し図２−▲２▼のテープを上下左右の移動によって太陽又はヘットライトの光を図２−▲２▼のテーフを合せ光の影を目に合せて光をさえぎる裝置である。「日除テープの影の形状を有うする支持具装置」
追．陸運局安全基準の問題が仮題と思われます。
陸運局と自動車メーカーにその仮題を持込みます。
【手続補正書】
【提出日】平成16年1月20日(2004.1.20)
【手続補正１】
【補正対象書類名】明細書
【補正対象項目名】全文
【補正方法】変更
【補正の内容】
0003106200.tif 000007
0003106200.tif 000008
0003106200.tif 000009
0003106200.tif 000010
0003106200.tif 000011
0003106200.tif 000012
【手続補正書】
【提出日】平成16年3月25日(2004.3.25)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
自動車運転中に直射日光又は対向車からのヘッドライトの光を遮る日除けテープ装置であって。
（１）車輌のフロントガラス枠の上下にガイドレール（３）を取り付ける。
（２）上下の（３）ガイドレールの１端に左右駆動滑車付モータを取り付け他端に滑車を取り付け両滑車間に（４）のワイヤを張る。
（３）前記（４）のワイヤに上下駆動滑車付モータを取り付けもう１端側に滑車を取り付け両滑車にワイヤを張る。
（４）前記ワイヤに影を作くるテープを取り付ける。
（５）前記（２）のテープを上下左右をする４点スイッチで調整を行ふ。
以上の構成を有うする特徴を持つ日除けテープ装置である。
【手続補正２】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【考案の詳細な説明】
【０００１】
【考案が解決するための手段】
請求項１において直射日光又は車輌のヘッドライトの光を受け眩を受け図４のイラスによりテープの影その眩さを遮る特徴を持つ日除けテープの装置である。
【０００２】
【課題を解決するための手段】
従来の車輌の庇形の日除においては庇の影のみであって庇の影よりはみだした部々の光をテープの影を作り各光を直接に受ける事のない様にする日除けテープ装置である。
【０００３】
【考案の効果】
自動車運転中朝日・夕日時の直射日光の眩しさを和らげる装置で光の的をテープの影で光を遮ぎり標識や信号を見やすくする、日除テープ装置である。
【図面の簡単な説明】〔図１〕
フロント正面の斜視図
〔図２〕
装置Ａ視の断面図
〔図３〕
装置Ｂ視の断面図
〔図４〕
全体のイラスト
【符号の説明】
（１）本体正面図
（２）影を作くるテープ
（３）主本体のガイドレール
（４）ワイヤ
（５）左右駆動滑車付モータ
（６）滑車
（７）上下駆動滑車付モータ
（Ａ−１）断面図
（Ａ−２）断面図
（Ｂ−１）断面図
（Ｂ−２）断面図
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
0003106200.tif 000013
【図２】
0003106200.tif 000014
【図３】
0003106200.tif 000015
【図４】
0003106200.tif 000016
(57)【要約】【課題】子供からお年寄りまで、食事の際、更には、料理をする際、つまみにくい物、形の崩れやすい物まで簡単につまむ事の出来る箸を提供する。【解決手段】箸１の先端つまみ部２を幅広くし、広範囲で物をつかむことで、つまみにくい物、或いは、形の崩れやすい物もつまめるようになる。【選択図】図１
0003106194.tif 000002
【実用新案登録請求の範囲】
【請求項１】
箸の先端つまみ部を幅広くして、食べ物全般を広範囲でつかみやすくし、お豆腐のような柔らかく、崩れやすい物、豆等の小さく、丸みがある物を簡単につまむことが出来るところを特徴とする箸。
【考案の詳細な説明】
【技術分野】
【０００１】本考案は、日常、各家庭で食事する際に、更には、料理をする際に使用して好適な箸に関する。
【背景技術】
【０００２】箸は、日本の各家庭において、或いは、料理店において、一般に使用されているが、一般的には、先端部が細く形成されたものであり、例えば、子供が柔らかいお豆腐などをつまむ際に形が崩れて食べにくく、豆等の小さく、丸みがあるものはつかみにくかった。その事によって、スプーンやフォークなどを使用して食事をする子供たちが多かった。
【考案の開示】
【考案が解決しようとする課題】
【０００３】本考案は以上の点に鑑み、子供からお年寄りまで、食事の際、更には、料理をする際に、つかみにくい物、崩れやすい物に関して従来の箸で苦労をしてきた点から、その物に対して簡単につまむ事のできる箸によって、より一層楽しく食事、料理をすることができる箸を提案することを課題とする。
【課題を解決するための手段】
【０００４】上記課題を解決するため、本考案の箸は、従来の箸に比べて、先端つまみ部を幅広く設けて、広範囲で食べ物全般をつまめるようにしたことで、つまみにくい物、崩れやすい物まで、簡単につまむ事が出来ることを特徴とする。
【考案の効果】
【０００５】以上の説明から明らかなように、本考案によると、食べ物を２点で支持する従来の箸に対して広範囲で支持するようにしたので、例えば、お豆腐のように柔らかく、崩れやすい物、或いは、豆等の小さく、丸みがある物でも、容易に安定してつかむ事ができ、特に子供、お年寄りの方が、これらの食べ物を簡単につまむ事ができる。
【考案を実施するための最良の形態】
【０００６】箸の先端つまみ部を広くすることにより、食べ物全般においてつかみやすく、お豆腐の様な柔らかく、崩れやすい物、豆等の小さく、丸みがある物も容易に安定してつかむことができ、非常に使い勝手がよくなる。
【実施例１】
【０００７】以下、図面を参照して本考案の実施例について説明する。
図１は食べ物全般をつまむ箸の斜視図。
図１のように本考案においては、１の先端部２を幅広く形成されており、従来の箸が、物をつまむ時、２点支持であったのに対し、広範囲で支持するようにしたものである。
【図面の簡単な説明】
【０００８】
【図１】  本考案の実施例に係る箸の斜視図
【符号の説明】
【０００９】１  箸
２  食べ物全般をつまむ部分
【図１】
0003106194.tif 000003
(57)【要約】      （修正有）【課題】花を生けた花器が、地震によって倒れたり、あるいは、小さな子供がいる家庭において、花器に触れた場合に倒れたり、さらに、不安定な形状の花器が倒れたりするのを防ぐことができる、倒れにくい花器を提供する。【解決手段】花器本体部を固定させる敷台部２に花器本体部１を差し込んで回し固定させる構造とした。即ち敷台部には、花器本体部を固定し、しかも花器本体部を着脱できる構造を有する開口部４を設け、また花器本体部の底面には、花器本体部を固定し、しかも簡単に敷台部と着脱できる機能を有する差込部３を設けることを特徴とする。【選択図】図１
0003106156.tif 000002
【実用新案登録請求の範囲】
【請求項１】
花器本体部と花器の敷台部から成る構造を特徴とする花器。
【請求項２】
花器本体部が倒れないよう、花器本体部を花器の敷台部に固定することができ、且つ花器本体部を、敷台部から容易に着脱できる構造を特徴とする花器。
【考案の詳細な説明】
【技術分野】
【０００１】
本考案は、主に家庭のインテリアの装飾用として、又、オフィスや病院、ホテル、インテリアショップ等、様々な場所において、装飾用及び人々の心を癒す道具として、広く一般的に用いられる花器に関するものである。
【背景技術】
【０００２】
従来この種の花器は、花器が倒れない構造のものとして、特開平08-182593に記載されている。「任意に曲成等して形成した中穴体形状の花器本体を支え台に押入して安定させるもの」、また、意願2002-8333に記載のある「共に金属製からなる台座と筒体を組み合せ、筒体を台座縦穴内に嵌挿するもの」等があった。  
【考案の開示】
【考案が解決しようとする課題】
【０００３】
これには次のような課題があった。従来の花器は花器本体部を台座及び支え台部に押入することで安定させるために、台座部を立体形状とし、しかも、横巾に比べ高さを必要とするものであった。そのため、単に花器本体を安定させるための支え台としての機能を持つもので、花器本体を支える機能と共に、花器の敷台としての機能を持つものではなかった。本考案は、これらの課題を解決するために成されたものである。
【課題を解決するための手段】
【０００４】
上記課題を解決するために、請求項１に記載の花器は、花器本体部１と、花器あるいは花を生けた花器を美しく引き立たせ、又床面を水で濡らしたり、傷つけたりしない役割を持つ敷台２を組み合わせる構造とした。また、請求項２に記載の花器は、花器本体部を倒れないよう固定させるために、花器の敷台部に開口部３を設け、また、花器本体部の底面には花器本体部を回して固定し、しかも簡単に敷台部と着脱できる機能を有する差込み部４を設ける構造として、上記の課題を解決した。
【考案の効果】
【０００５】
本考案には次のような効果がある。
イ．花を生けた花器が、地震によって倒れたり、あるいは小さな子供がいる家庭等におい
て花器に触れた場合に倒れたり、さらに不安定な形状の花器が倒れるのを防ぐことが
できる。
ロ．敷台部から花器本体の着脱が簡単にできるので、敷台部を動かすことなく、容易に生
花の水の入れ替えができる。
ハ．一般的に花器を使用する場合、花を生けた花器を美しく引き立たせる役割として、ま
た、花器の底面で床面に傷をつけたり、床面を水で濡らさないようにする目的で敷台
（花瓶敷）を使用する場合が多いが、本考案の花器の敷台はこの機能を有している。
ニ．花器本体部と敷台部の形状デザイン、及び加飾を施すことにより、インテリア装飾品
としての効果を高めることができる。
ホ．器本体部の差込部と敷台部の開口部を統一すれば、花器本体部を自由に取り替える
ことができるので、各自の嗜好に合った花器デザインの選択が可能となる。
【実施例】
【０００６】
以下、本考案の実施例について説明する。
図１に示すとおり花器本体１の裏底中央部に、花器本体を敷台に固定させる差込部３を設ける。また、敷台２の中央部に、花器本体を固定させるための開口部４を設け、これにより花器本体の裏底中央部に接着した凸起部を押入後回転させることにより、敷台部に花器本体が固定する。
【０００７】
図６、図７は本考案の固定方法の詳細図である。花器裏底の差込部３の構造は、敷台部に差込んだあと、半回転させて敷台部に固定させるために凸起部５を設ける。また、敷台部の構造は差込部３を押入するために凸起部５に対応した凹部６を設け、さらに差込部３を開口部４に押入した後、９０度回転させ、敷台部から花器本体部が離れないようにするため止め部７を設ける。
【０００８】
本考案は以上のような構造で次のような実施態様をとることができる。
（１）構成部材の材質は陶磁器、ガラス、金属、合成樹脂、木等利用できる。なお、花器
本体部及び敷台部の材質は上記の異なる材質を組み合せて用いることができる。
（２）花器本体部と敷台部の形状デザインは、倒れにくくするために、花器本体部と敷台
部の大きさ、及び重量のバランスをとることが必要となるが、この条件を満たせば、
形状のデザインは自由であり、加飾も自由に施すことができる。
（３）敷台の大きさ及び重量によって、花器が倒れるのを防ぐことができるが、敷台裏面
に吸盤等を取り付けることでさらに倒れにくくすることができる。
（４）敷台部から花器本体の着脱が簡単にできるので、敷台部は床面に固定しておくこと
ができる。
【図面の簡単な説明】
【０００９】
【図１】本考案の斜視図（パーツ）である。
【図２】本考案の斜視図（組み合せた状態）である。
【図３】本考案の正面図（パーツ）である。
【図４】本考案の右側面図（パーツ）である。
【図５】本考案の平面図（パーツ）である。
【図６】本考案の裏面図（パーツ）である。
【図７】本考案の固定方法の詳細図（裏面）である。
【図８】本考案の固定方法の詳細図（側面）である。
【符号の説明】
【００１０】
１．花器本体部            
２．敷台部
３．花器本体差込部    
４．敷台開口部
５．花器本体差込部の凸起部                
６．敷台開口部の凹部
７．敷台開口部の止め部
【図１】
0003106156.tif 000003
【図２】
0003106156.tif 000004
【図３】
0003106156.tif 000005
【図４】
0003106156.tif 000006
【図５】
0003106156.tif 000007
【図６】
0003106156.tif 000008
【図７】
0003106156.tif 000009
【図８】
0003106156.tif 000010
(57)【要約】      （修正有）【課題】幻想的、神秘的な雰囲気を醸し出し、心を癒すことができる発光玩具を提供する。【解決手段】生物の形状を模した形象部２と、該形象部２を支持する台座部３とから構成され、以下の要件を備えたことを特徴とする。（イ）形象部２は、透光素材によって成形され、表面には発光塗料４が塗布されていること、（ロ）台座部３には、形象部２に光線を照射する照射手段７とが設けられていること、前記形象部は水棲生物の形状を模したものであるのが好ましい。また、前記発光塗料は紫外線発光塗料であり、前記照射手段が紫外線照射手段であるのがよい。【選択図】図２
0003106182.tif 000002
【実用新案登録請求の範囲】
【請求項１】
生物の形状を模した形象部と、該形象部を支持する台座部とから構成され、以下の要件を備えたことを特徴とする発光玩具。
（イ）上記形象部は、透光素材によって成形され、表面には発光塗料が塗布されていること
（ロ）上記台座部には、上記形象部に光線を照射する照射手段とが設けられていること
【請求項２】
前記形象部は水棲生物の形状を模したものである、請求項１記載の発光玩具。
【請求項３】
前記発光塗料は紫外線発光塗料であり、前記照射手段が紫外線照射手段である、請求項１または２記載の発光玩具。
【考案の詳細な説明】
【技術分野】
【０００１】
本考案は、光を照射することにより発光する発光玩具に関する。
【背景技術】
【０００２】
一般に、玩具といえば明るいところで楽しむものが多い。それは、玩具のほとんどが子供や幼児向けに開発されてきたからである。
【０００３】
しかしながら、最近は、大人に向けて開発された玩具も多く見られるようになってきている。たとえば、石の上に蛙が乗っている状態を模した置き物玩具で、スイッチを入れると、蛙の声が出るようにしたものや、草に蛍が留まっている状態を模した置き物玩具で、暗い部屋でスイッチを入れると、蛍に埋め込んだランプが明滅して蛍が光を発しているような状態を作り出すものが知られている。
【特許文献１】実開平５−２９７９８号公報
【考案の開示】
【考案が解決しようとする課題】
【０００４】
本考案は上記事情に鑑みて成立したもので、幻想的、神秘的な雰囲気を醸し出し、心を癒すことができる発光玩具を提供することを課題とする。
【課題を解決するための手段】
【０００５】
前記課題を解消するため、本考案に係る発光玩具は、生物の形状を模した形象部と、該形象部を支持する台座部とから構成され、以下の要件を備えたことを特徴とする。
（イ）上記形象部は、透光素材によって成形され、表面には発光塗料が塗布されていること
（ロ）上記台座部には、上記形象部に光線を照射する照射手段とが設けられていること
【０００６】
前記形象部は水棲生物の形状を模したものであるのが好ましい。
【０００７】
また、前記発光塗料は紫外線発光塗料であり、前記照射手段が紫外線照射手段であるのがよい。
【考案の効果】
【０００８】
請求項１に係る考案によれば、照射手段から形象部に対して光が照射されると、形象部の発光塗料が光るので、暗い部屋では形象部が浮き上がって見える。しかも、形象部は透光素材によって成形されているため、直接に光が当った面の反対側も光るので、形象部が立体的に浮かんで見えるから、幻想的な雰囲気を醸し出すことができる。
【０００９】
請求項２に係る考案によれば、形象部はミジンコやクリオネなどの水中又は海中に棲むユニークな形状のものが浮かんで見えるようにすることができるので、神秘的な感じがさらに倍増する。
【００１０】
請求項３に係る考案によれば、形象部は不可視光線である紫外線で光るので、より神秘的、幻想的な状態を作り出すことができる。
【考案を実施するための最良の形態】
【００１１】
生物の形状を模した形象部と、該形象部を支持する台座部とから構成され、形象部は、透光素材によって成形され、表面には発光塗料を塗布し、台座部には、上記形象部に光線を照射する照射手段とを設けることによって、幻想的、神秘的な雰囲気を醸し出し、心を癒すことができるという目的を実現した。
【実施例】
【００１２】
図１は本発明に係る発光玩具の斜視図であり、図２は上記発光玩具の要部の断面図である。同図において符号１は発光玩具で、この発光玩具１は、生物の形状を模した形象部２と、該形状部を支持する台座部３とから構成されている。
【００１３】
つまり、形象部２は、微小な水棲生物であるミジンコを模してなり、合成樹脂、ガラス等の透光素材によって成形され、表面には発光塗料４が塗布されている。この発光塗料４は紫外線照射によって発光するものであり、公知のものを利用すればよい。
【００１４】
次に、台座部３は円盤状に形成され、その上部には形象部２を支持する固定手段５が設けられ、また、上面前部には光線の照射口６が開口している。また、台座部３の内部には、紫外線照射手段７とその電源となる電池８が配置されている。紫外線照射手段７は紫外線発光ＬＥＤで、上記照射手段７は照射口６から上記形象部２を照射するように設けられている。
【００１５】
なお、固定手段５には発光塗料４は塗布しない。固定手段５は必ずしも必要ではない。台座部３の上に直接に形象部２を載置固定するようにしてもよい。
【００１６】
上記構成において、電池８のスイッチをオンさせると、紫外線照射手段７から紫外線が照射口６から形象部２に照射される。形象部２に対して光が照射されると、形象部２の発光塗料４が光るので、図３に示されるように暗い部屋では形象部２が浮き上がって見える。しかも、形象部２は透光素材によって成形されているため、直接に光が当った面の反対側も光るので、形象部２が立体的に浮かんで見えるから、幻想的な雰囲気を醸し出すことができる。
【００１７】
また、形象部２は不可視光線である紫外線で光るので、照射口６から紫外線が出ているのを視認することはできない。形象部２自体が光っているように見えるので、神秘的、幻想的な状態を作り出すことができる。
【００１８】
形象部２はミジンコという海中に棲む生物を模している。水棲生物は陸上で見ることはできないほか、微小なものや南極、北極のように人が住むことができないような水域に棲んでいるもののように、通常では見ることができない、ユニークな形状のものが存在する。また、鮮やかな色彩や美しい模様を有するものも数多く存在する。このようなユニークな形のものが浮かんで見えるようにすることができるので、幻想的、神秘的な雰囲気を醸し出し、心を癒すことができる。
【００１９】
なお、形象部２の形状は、水棲生物を模したものであればよく、例えば、図４のようにクリオネを模したものでもよく、あるいは、イルカやクマノミ、くらげなどであってもよい。
【００２０】
照射手段７も必ずしも紫外線ではなく、可視光線の照射手段７であってもよい。
【図面の簡単な説明】
【００２１】
【図１】本発明に係る発光玩具の斜視図である。
【図２】上記発光玩具の要部の断面図である。
【図３】上記発光玩具の発光時の状態を示す斜視図である。
【図４】クリオネを形象部とした場合の斜視図である。
【符号の説明】
【００２２】
１  形象部  
２  台座部
４  発光塗料  
７  照射手段  
【図１】
0003106182.tif 000003
【図２】
0003106182.tif 000004
【図３】
0003106182.tif 000005
【図４】
0003106182.tif 000006
(57)【要約】【課題】  ブラジャーのストラップが肩から滑り落ちにくくすること。【解決手段】ストラップは紐状の本体（２０）を有し、該本体（２０）の一面にシリコンからなる防滑層（２２）が設けられていることを特徴とする。【選択図】  図１
0003106186.tif 000002
【実用新案登録請求の範囲】
【請求項１】
紐状の本体を有し、該本体の一面に防滑層が設けられていることを特徴とする、ブラジャーのストラップ。
【請求項２】
前記防滑層がシリコンからなる波浪状構造である、請求項１のブラジャーのストラップ。
【請求項３】
前記防滑層がシリコンからなる直線状構造である、請求項１のブラジャーのストラップ。
【考案の詳細な説明】
【技術分野】
【０００１】
本考案は、特に肩との接触面に防滑層が設けられるブラジャーのストラップに関するものである。
【背景技術】
【０００２】
女性専用のブラジャーは乳房の形を整えるために下部に針金（underwiring）又は横に芯（side-bone）を入れるカップを有し、該カップはストラップを肩に吊り掛けることにより乳房を収容する。
【０００３】
図７及び図８に示すように、従来のストラップ（１０）は弾性素材からなると共に、調節用締め金によって好適な長さに調整する。
【考案の開示】
【考案が解決しようとする課題】
【０００４】
しかしながら、前記従来のストラップは何らの防滑構造を有しないので、装着する場合、肩から滑落する問題を有し、又、公衆場所で滑落したストラップを肩に調整する際、非常に不便である。
【０００５】
そこで、案出されたのが本考案であって、肩との接触面に防滑層が設けられるブラジャーのストラップを提供することを目的としている。
【課題を解決するための手段】
【０００６】
本願の請求項１の考案は、紐状の本体を有し、該本体の一面に防滑層が設けられていることを特徴とするブラジャーのストラップ及び、
本願の請求項２の考案は、前記防滑層がシリコンからなる波浪状構造である、請求項１のブラジャーのストラップ及び、
本願の請求項３の考案は、前記防滑層がシリコンからなる直線状構造である、請求項1のブラジャーのストラップ、を提供する。
【考案の効果】
【０００７】
本考案は上記の課題を解決するものであり、ストラップの本体の一面に防滑効果を有するシリコンの防滑層が設けられることにより、ストラップが肩から滑落することを防止できる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係るブラジャーのストラップの第一実施例を示す斜視図であり、図２は本考案に係るブラジャーのストラップの第一実施例を示す断面図であり、図３は本考案に係るブラジャーのストラップを肩に吊り掛ける状態を示す断面図であり、図４は本考案に係るブラジャーのストラップをブラジャーと結合する状態を示す斜視図であり、図５は本考案に係るブラジャーのストラップの第二実施例を示す斜視図であり、図６は本考案に係るブラジャーのストラップの第三実施例を示す斜視図である。
【実施例１】
【００１０】
図１及び図２に示すように、本考案に係るブラジャーのストラップは紐状の本体（２０）を有し、該本体（２０）の一面にシリコン（silicone）からなる波浪状の防滑層（２２）が設けられることにより、ストラップの本体（２０）が肩から滑落することを防止する。
【００１１】
図３及び図４に示すように、本考案に係るブラジャーのストラップをブラジャー（３０）に使用する場合、ストラップの本体（２０）に防滑効果を有する防滑層（２２）を有するので、使用者はどんなに動いてもストラップが肩から滑落する不快感を起こすことがなく、ストラップを調整する必要もない。
【実施例２】
【００１２】
本考案に係るブラジャーのストラップの第二実施例は、本体（２０ａ）の一面に平行な二本の線を有するシリコンの防滑層（２２ａ）が設けられることにより、前記第一実施例と等しい防滑効果を達成できる。
【実施例３】
【００１３】
本考案に係るブラジャーのストラップの第三実施例は、本体（２０ｂ）の一面に幅が本体（２０ｂ）より狭いシリコンの防滑層（２２ｂ）が設けられることにより、前記第一実施例及び第二実施例と等しい防滑効果を達成できる。
【産業上の利用可能性】
【００１４】
本考案は上記の構成を有するので、ストラップの本体の一面に防滑効果を有するシリコンの防滑層が設けられることにより、ストラップが肩から滑落することを防止できる。
【図面の簡単な説明】
【００１５】
【図１】本考案に係るブラジャーのストラップの第一実施例を示す斜視図である。
【図２】本考案に係るブラジャーのストラップの第一実施例を示す断面図である。
【図３】本考案に係るブラジャーのストラップを肩に吊り掛ける状態を示す断面図である。
【図４】本考案に係るブラジャーのストラップとブラジャーが結合した状態を示す斜視図である。
【図５】本考案に係るブラジャーのストラップの第二実施例を示す斜視図である。
【図６】本考案に係るブラジャーのストラップの第三実施例を示す斜視図である。
【図７】従来のブラジャーのストラップを示す断面図である。
【図８】従来のブラジャーのストラップを肩に吊り掛けた状態を示す断面図である。
【符号の説明】
【００１６】
２０        本体
２０ａ      本体
２０ｂ      本体
２２        防滑層
２２ａ      防滑層
２２ｂ      防滑層
３０        ブラジャー
【図１】
0003106186.tif 000003
【図２】
0003106186.tif 000004
【図３】
0003106186.tif 000005
【図４】
0003106186.tif 000006
【図５】
0003106186.tif 000007
【図６】
0003106186.tif 000008
【図７】
0003106186.tif 000009
【図８】
0003106186.tif 000010
(57)【要約】【課題】道路をアスファルト舗装する場合に、タンクに格納したアスファルト乳剤等の瀝青材料（以下、乳剤と呼ぶ。）を加熱して路面に散布する、アスファルトディストリビュータ等の大型乳剤散布機における乳剤の送出装置において、装置の動力方法の影響による劣化への懸念を解消する。【解決手段】アスファルトディストリビュータ等の大型乳剤散布機にある乳剤を格納するタンクから、チューブポンプ（１）を使って乳剤を送り出す、しかしチューブポンプ（１）の動作で脈動が発生してしまうため、散布時に乱れが生じないようにエアーチャンバー（４）を通すように設置する。【選択図】図１
0003106116.tif 000002
【実用新案登録請求の範囲】
【請求項１】
道路のアスファルト舗装において使用される、アスファルト乳剤等の瀝青材料（以下、乳剤と呼ぶ。）を散布する、アスファルトディストリビュータ等の大型散布機において、乳剤の散布する動力源と、乳剤の格納されたタンクと配管を循環する動力源に使われる送出装置に、チューブポンプまたはホースポンプと呼ばれる弾性のあるチューブをローラーで押し潰し、ローラーをそのまま移動させてチューブ内にある流体を押し出す装置を採用する、またチューブポンプの動作により乳剤に脈動が発生してしまうため散布時に乱れが生じないようにエアーチャンバーまたはダンパーと呼ばれる脈動防止装置を同時に採用する。
【考案の詳細な説明】
【技術分野】
【０００１】
本考案は道路をアスファルト舗装する場合に、タンクに格納したアスファルト乳剤等の瀝青材料（以下、乳剤と呼ぶ。）を加熱して路面に散布する、アスファルトディストリビュータ等の大型乳剤散布機における乳剤の送出装置に関する。
【背景技術】
【０００２】
従来のアスファルトディストリビュータ等の大型乳剤散布機における乳剤の送出装置には、ギヤポンプと呼ばれる、ギヤを流体の送り弁にした装置または、エアポンプと呼ばれる、大型乳剤散布機のタンクに空気圧をかけてタンクとその配管内の乳剤を循環させる装置を採用している。
【考案の開示】
【考案が解決しようとする課題】
【０００３】
従来のアスファルトディストリビュータ等の大型乳剤散布機における乳剤の送出装置であるギヤポンプは弁機能のため、攪拌や泡立ちが発生してしまい乳剤の劣化が懸念されていた、またエアポンプにおいてもタンク内の乳剤に直接、空気圧をかけることによる乳剤の劣化が懸念されていた。本考案は送出方法による劣化への懸念を解消する。
【課題を解決するための手段】
【０００４】
本考案では、アスファルトディストリビュータ等の大型乳剤散布機における乳剤の送出装置に、チューブポンプまたはホースポンプと呼ばれる、弾性のあるチューブをローラーで押し潰し、ローラーをそのまま移動させてチューブ内にある流体を押し出す装置を採用する。これにより従来の送出装置で発生していた弁機能による攪拌や泡立ちはなくなりまた乳剤へ直接、空気圧をかける方式の動力源ではなくなるため、劣化への懸念は解消される。
【考案の効果】
【０００５】
本考案により、従来の送出方法によって発生していた乳剤の劣化への懸念は解消される。さらに本考案によって送出装置の維持費が、従来のギヤポンプやエアポンプであれば故障の場合に、装置そのものの交換が必要であるのに対し、チューブポンプでは流体の送り出しに使われるホースの交換だけになる、そして装置が単純な作りであるため、ホースの交換に専門的な知識がなくても交換可能であることから低コストとなる。
【考案を実施するための最良の形態】
【０００６】
アスファルトディストリビュータ等の大型乳剤散布機における乳剤の送出装置の動力源にチューブポンプを設置し、これを油圧モーターで動作させる。しかし、このままではチューブポンプの動作により脈動が発生し散布時に乱れが生じてしまうため、エアーチャンバーまたは、ダンパーと呼ばれる脈動防止装置を設置する必要がある。
【実施例】
【０００７】
アスファルトディストリビュータ等の大型乳剤散布機にある乳剤を格納するタンクからチューブポンプ（１）の下ジョイント（３）へ配管し、チューブポンプ（１）の上ジョイント（２）からエアーチャンバー（４）へ配管する、エアーチャンバー（４）から、循環用および散布用のバルブ（５）へ配管する。またチューブポンプ（１）は油圧モーター（６）によって動作させる。
【図面の簡単な説明】
【０００８】
【図１】本考案の正面図である。
【図２】本考案の上面図である。
【図３】本考案の右側面図である。
【図４】本考案の左側面図である。
【符号の説明】
【０００９】
１チューブポンプ
２上ジョイント
３下ジョイント
４エアーチャンバー
５バルブ
６油圧モーター
【図１】
0003106116.tif 000003
【図２】
0003106116.tif 000004
【図３】
0003106116.tif 000005
【図４】
0003106116.tif 000006
【手続補正書】
【提出日】平成16年7月21日(2004.7.21)
【手続補正１】
【補正対象書類名】実用新案登録請求の範囲
【補正対象項目名】請求項１
【補正方法】変更
【補正の内容】
【請求項１】
道路のアスファルト舗装において使用される、アスファルト乳剤等の瀝青材料（以下、乳剤と呼ぶ。）を散布する、アスファルトディストリビュータ等の大型散布機において、乳剤の散布する動力源と、乳剤の格納されたタンクと配管を循環する動力源に使われる送出装置に、チューブポンプまたはホースポンプと呼ばれる弾性のあるチューブをローラーで押し潰し、ローラーをそのまま移動させてチューブ内にある流体を押し出す装置とチューブポンプの動作により乳剤に脈動が発生してしまうため散布時に乱れが生じないようにエアーチャンバーまたはダンパーと呼ばれる脈動防止装置を同時に採用した乳剤の送出装置。